(57)【要約】【課題】  構造が安定し且つ工期の短い経済的なコンクリート積みブロック擁壁及びこれに用いるコンクリートブロックを提供する。【解決手段】  擁壁１は、道路拡幅用の第１コンクリートブロック３ａ〜３ｄが、通常使用されている第２コンクリートブロック４ａ〜４ｃの上部に数段積まれた状態で構成されている。第１コンクリートブロック３は、上下の配置段が異なったものであっても柱梁７を除いた部分はすべて同一形状となっているが、柱梁７の形状は設置段によって異なっている。すなわち、柱梁７は下段のものから上段にいくに従って前壁５からの突き出し長さが大きくなるように設定されている。そして、これらを積み上げたとき、柱梁７ａ〜７ｄの各々の先端部が上下に整列するように構成されている。これによって擁壁１の上部の支持範囲が拡大する。【選択図】        図１
2006112130.tif 000002
【特許請求の範囲】
【請求項１】
複数のコンクリートブロックを上下に積み重ねることによって形成されるコンクリート積みブロック擁壁であって、
前記コンクリートブロックのうち、少なくとも所定段より上方の第１コンクリートブロックは、
所定の勾配面を有する前壁と、
前記前壁の外方側に接続され、前記勾配面より急な勾配で上下に延びる柱梁とを備え、
前記コンクリートブロックのうち、前記所定段以下の第２コンクリートブロックは、
前記勾配面と同一の勾配面を有する前壁を備えた、コンクリートブロック積み擁壁。
【請求項２】
前記第１コンクリートブロックが上下に複数設置された時、各々の前記前壁と前記柱梁とは上下に整列するように、前記前壁と前記柱梁とは形成される、請求項１記載のコンクリート積みブロック擁壁。
【請求項３】
前記柱梁の前記前壁への水平方向の投影面は、前記前壁の前記勾配面より小さい、請求項２記載のコンクリート積みブロック擁壁。
【請求項４】
前記柱梁の内部には上下に貫通する開口が形成され、前記開口の内部には現場打コンクリートが打設される、請求項３記載のコンクリート積みブロック擁壁。
【請求項５】
水平方法に隣接する前記第１コンクリートブロックの各々の柱梁は、互いに接することによって上下に連続するスペースが形成されるように構成され、前記スペースの内部には現場打ちコンクリートが打設される、請求項３記載のコンクリート積みブロック擁壁。
【請求項６】
前記柱梁の外方端部の面は略平坦面を有し、前記平坦面の前記前壁への水平方向の投影面は前記前壁の前記勾配面に一致する、請求項２記載のコンクリート積みブロック擁壁。
【請求項７】
前記柱梁の下端と前記前壁の下端とを接続する底板が更に形成された、請求項６記載のコンクリート積みブロック擁壁。
【請求項８】
前記前壁には、その内方側に延びた控壁が形成され、前記前壁の内方面と前記控壁とで構成されたスペースには現場打コンクリートが打設される、請求項１から請求７のいずれかに記載のコンクリート積みブロック擁壁。
【請求項９】
前記控壁に接続され、前記前壁に略平行に設置される後壁を更に備えた、請求項８記載のコンクリート積みブロック擁壁。
【請求項１０】
前記前壁には、その内方面に固定され、内方側に延びるアンカー筋が形成され、
前記アンカー筋をその内部に含むように、前記前壁の内方面側に現場打コンクリートが打設された、請求項１から請求項７のいずれかに記載のコンクリート積みブロック擁壁。
【請求項１１】
中空四角柱状の複数のコンクリートブロックをその軸方向を上下にすると共に、その前壁を整列した状態で積み上げることによって形成されるコンクリートブロック積み擁壁であって、
前記コンクリートブロックのうち、少なくとも所定段より上方の第１コンクリートブロックは、
前壁と、
前記前壁に対向する後壁と、
前記前壁と前記後壁とに接続される一対の控壁と、
前記前壁と前記後壁と一対の控壁とで構成される中空部分のうち、前記後壁側の部分にのみ打設された現場打コンクリートとを備えた、コンクリート積みブロック擁壁。
【請求項１２】
前記第１コンクリートブロックが上下に複数設置された時、その各々は上方に行くに従って前記前壁と前記後壁との間隔が大きくなると共に、各々の前記前壁は上下方向に整列するように配置されると共に、各々に打設された現場打コンクリート前方側の面は一つの傾斜面となるように整列される、請求項１１記載のコンクリート積みブロック擁壁。
【請求項１３】
上下に積み重ねることによってコンクリート積みブロック擁壁を形成するためのコンクリートブロックであって、
所定の勾配面を有する前壁と、
前記前壁の内方側に形成され、前記前壁と一体化したコンクリート部分と、
前記前壁の外方側に接続され、前記勾配面より急な勾配で上下に延びる柱梁とを備えた、コンクリートブロック。
【発明の詳細な説明】
【技術分野】
【０００１】
本発明は、コンクリート積みブロック擁壁及びこれに用いるコンクリートブロックに関し、特に山間部等に道路の拡幅を形成する際、前壁の法勾配が２割勾配（１：２．０）から略垂直の間のコンクリート擁壁上部へ、道路の拡幅施工を同時かつ容易に、しかも、経済的にできるコンクリート積みブロック擁壁及びこれに用いるコンクリートブロックに関するものである。
【背景技術】
【０００２】
従来の山間部等に道路を形成する時、これを拡幅する方法としては、複数の擁壁用ブロックを積んだ最上段に張出し歩道用ブロックを形成したものがある（例えば、特許文献１参照）。また、擁壁に何等の加工を加える必要もなく、擁壁の傾斜面の上方に拡張されたスペースを形成できるようにした有効利用地拡張用ブロックを提供しているものがある（例えば、特許文献２参照）。更に、コンクリート成型品からなる複数個の分割躯体を使用した道路用擁壁構造がある（例えば、特許文献３参照）。
【０００３】
【特許文献１】実用新案登録第２５１８２６５号公報（第１頁、図１）
【特許文献２】特開平８‐８５９５２号公報（第１頁、図１）
【特許文献３】特開２００２‐３８４９８号公報（第１頁、図５）
【発明の開示】
【発明が解決しようとする課題】
【０００４】
しかし、従来の道路の拡幅の方法には特許文献１や特許文献２の例のように通常のコンクリート擁壁の最上部に張り出し部を取り付けた構造のものが多く、大型トラック等の大きい輪荷重に耐えられない場合や、張り出し部と擁壁本体の一体性が充分でなく不安定な構造となっていた。また、張り出し部の根元に大きい曲げモーメントが発生するため、厚くて大きい部材が必要となり不経済な構造物となっていた。更には、張り出し部と下部の擁壁とをは別々に構築するため、長い施工期間が必要となり、経済的な施工方法とは言えなかった。また、特許文献３のようにコンクリート成型品からなる複数の分割躯体を一体化して構築する構造もあるが、同成型品の内部が空洞のため、一般の土圧に耐えられない虞があった。
【０００５】
この発明は上記のような課題を解決するためになされたもので、構造が安定し且つ工期の短い経済的なコンクリート積みブロック擁壁及びこれに用いるコンクリートブロックを提供することを目的とする。
【課題を解決するための手段】
【０００６】
上記の目的を達成するために、請求項１記載の発明は、複数のコンクリートブロックを上下に積み重ねることによって形成されるコンクリートブロック積み擁壁であって、コンクリートブロックのうち、少なくとも所定段より上方の第１コンクリートブロックは、所定の勾配面を有する前壁と、前壁の外方側に接続され、勾配面より急な勾配で上下に延びる柱梁とを備え、コンクリートブロックのうち、所定段以下の第２コンクリートブロックは、勾配面と同一の勾配面を有する前壁を備えたものである。
【０００７】
このように構成すると、柱梁のない擁壁に比べて最上段の第１コンクリートブロックで支持できる範囲が拡大する。
【０００８】
請求項２記載の発明は、請求項１記載の発明の構成において、第１コンクリートブロックが上下に複数設置された時、各々の前壁と柱梁とは上下に整列するように、前壁と柱梁とは形成されるものである。
【０００９】
このように構成すると、柱梁が上下に連続して一体となる。
【００１０】
請求項３記載の発明は、請求項２記載の発明の構成において、柱梁の前壁への水平方向の投影面は、前壁の勾配面より小さいものである。
【００１１】
このように構成すると、柱梁の第１コンクリートブロックに占める割合が小さくなる。
【００１２】
請求項４記載の発明は、請求項３記載の発明の構成において、柱梁の内部には上下に貫通する開口が形成され、開口の内部には現場打コンクリートが打設されるものである。
【００１３】
このように構成すると、上下に連続した柱梁は、現場打コンクリートを介して一体化する。
【００１４】
請求項５記載の発明は、請求項３記載の発明の構成において、水平方法に隣接する第１コンクリートブロックの各々の柱梁は、互いに接することによって上下に連続するスペースが形成されるように構成され、スペースの内部には現場打コンクリートが打設されるものである。
【００１５】
このように構成すると、隣接する第１コンクリートブロックの柱梁同志の接続によって上下に連続するスペースが形成される。
【００１６】
請求項６記載の発明は、請求項２記載の発明の構成において、柱梁の外方端部の面は略平坦面を有し、平坦面の前壁への水平方向の投影面は前壁の勾配面に一致するものである。
【００１７】
このように構成すると、前壁の外方側は全面柱梁で覆われる。
【００１８】
請求項７記載の発明は、請求項６記載の発明の構成において、柱梁の下端と前壁の下端とを接続する底板が更に形成されたものである。
【００１９】
このように構成すると、柱梁の周りのスペースが上下に連続しない。
【００２０】
請求項８記載の発明は、請求項１記載から請求７のいずれかに記載の発明の構成において、前壁には、その内方側に延びた控壁が形成され、前壁の内方面と控壁とで構成されたスペースには現場打コンクリートが打設されるものである。
【００２１】
このように構成すると、第１コンクリートブロックの設置後に前壁の後ろ側に現場打コンクリートが打設される。
【００２２】
請求項９記載の発明は、請求項８記載の発明の構成において、控壁に接続され、前壁に略平行に設置される後壁を更に備えたものである。
【００２３】
このように構成すると、前壁に控壁を介して後壁が接続される。
【００２４】
請求項１０記載の発明は、請求項１から請求項７のいずれかに記載の発明の構成において、前壁には、その内方面に固定され、内方側に延びるアンカー筋が形成され、アンカー筋をその内部に含むように、前壁の内方面側に現場打コンクリートが打設されたものである。
【００２５】
このように構成すると、現場打コンクリートはアンカー筋を介して前壁と一体化する。
【００２６】
請求項１１記載の発明は、中空四角柱状の複数のコンクリートブロックをその軸方向を上下にすると共に、その前壁を整列した状態で積み上げることによって形成されるコンクリートブロック積み擁壁であって、コンクリートブロックのうち、少なくとも所定段より上方の第１コンクリートブロックは、前壁と、前壁に対向する後壁と、前壁と後壁とに接続される一対の控壁と、前壁と後壁と一対の控壁とで構成される中空部分のうち、後壁側の部分にのみ打設された現場打コンクリートとを備えたものである。
【００２７】
このように構成すると、第１コンクリートブロックの重心位置が後壁側に移動する。
【００２８】
請求項１２記載の発明は、請求項１１記載の発明の構成において、第１コンクリートブロックが上下に複数設置された時、その各々は上方に行くに従って前壁と後壁との間隔が大きくなると共に、各々の前壁は上下方向に整列するように配置されると共に、各々に打設された現場打コンクリート前方側の面は一つの傾斜面となるように整列されるものである。
【００２９】
このように構成すると、第１コンクリートブロックの重心位置がより後壁側に移動する。
【００３０】
請求項１３記載の発明は、上下に積み重ねることによってコンクリートブロック積み擁壁を形成するためのコンクリートブロックであって、所定の勾配面を有する前壁と、前壁の内方側に形成され、前壁と一体化したコンクリート部分と、前壁の外方側に接続され、勾配面より急な勾配で上下に延びる柱梁とを備えたものである。
【００３１】
このように構成すると、柱梁のない擁壁に比べてコンクリートブロックで支持できる範囲が拡大する。
【発明の効果】
【００３２】
以上説明したように、請求項１記載の発明は、最上段の第１コンクリートブロックで支持できる範囲が拡大するので、効率的な擁壁となる。特に、傾斜面を掘削して擁壁を建設して道路等を形成する場合、擁壁の支持できる範囲が山側とは反対側に拡張できるため、掘削範囲を縮減でき、工期面及びコスト面等に有利となる。擁壁上部から下方に加わる荷重は上下に連続する柱梁により支持されるため、柱梁には圧縮力が働くが大きな曲げモーメントは発生しない。又、擁壁の構築と同時に柱梁が構築されるため工期が短くなり効率的な擁壁となる。
【００３３】
請求項２記載の発明は、請求項１記載の発明の効果に加えて、柱梁が上下に一体となるので最上段の第１コンクリートブロックの柱梁に加わる力は、各々の第１コンクリートブロック全体で受け持つことになり信頼性が向上する。
【００３４】
請求項３記載の発明は、請求項２記載の発明の効果に加えて、柱梁の第１コンクリートブロックに占める割合が小さくなるので効率的な擁壁となる。
【００３５】
請求項４記載の発明は、請求項３記載の発明の効果に加えて、上下に連続した柱梁は、現場打コンクリートを介して一体化するので柱梁の支持状態の信頼性が向上する。
【００３６】
請求項５記載の発明は、請求項３記載の発明の効果に加えて、隣接する第１コンクリートブロックの柱梁同志の接続によって上下に連続するスペースが形成されるので柱梁自体に上下に貫通する開口を形成する必要がない。又、このスペースに打設された現場打コンクリートを介して隣接する第１コンクリートブロック同志が一体化するため水平方向の強度がより向上した擁壁となる。
【００３７】
請求項６記載の発明は、請求項２記載の発明の効果に加えて、前壁の外方側は全面柱梁で覆われるので、第１コンクリートブロックで構成される擁壁の外面は柱梁で全面覆われることになる。したがって、支持強度が向上すると共に凹凸の少ない柱梁となり、河川で使用した時には水流による衝撃等が少なくなるので耐久性も向上する。
【００３８】
請求項７記載の発明は、請求項６記載の発明の効果に加えて、柱梁の周りのスペースが上下に連続しないので、使用状況に応じて底板の上のスペースに土等を充填することによって擁壁の重量等を自在に調整することができる。
【００３９】
請求項８記載の発明は、請求項１から請求項７のいずれかに記載の発明の効果に加えて、第１コンクリートブロックの設置後に前壁の後ろ側に現場打コンクリートが打設されるので設置時の第１コンクリートブロック自体の重量が軽くなるため扱い易くなる。又、上下の第１コンクリートブロックは控壁の存在と共にこの現場打コンクリートによって一体化されるため、強度上の信頼性が向上する。
【００４０】
請求項９記載の発明は、請求項８記載の発明の効果に加えて、前壁に控壁を介して後壁が接続されるので、第１コンクリートブロックの積み上げ状態がより安定するので、擁壁の施工が容易となる。
【００４１】
請求項１０記載の発明は、請求項１から請求項７のいずれかに記載の発明の効果に加えて、現場打コンクリートはアンカー筋を介して前壁と一体化するので、第１コンクリートブロックには控壁が不要となる。その結果、設置時の第１コンクリートブロックの全体重量がより軽減するため現場での扱いが容易となる。
【００４２】
請求項１１記載の発明は、第１コンクリートブロックの重心位置が後壁側に移動するので、最上段の第１コンクリートブロックの前壁に上方から加わる力に対する安定度が向上する。
【００４３】
請求項１２記載の発明は、請求項１１記載の発明の効果に加えて、第１コンクリートブロックの重心位置がより後壁側に移動するので、擁壁全体の安定度がより向上する。
【００４４】
請求項１３記載の発明は、コンクリートブロックで支持できる範囲が拡大するので、効率的な擁壁の形成に寄与する。特に、傾斜面を掘削して擁壁を建設して道路等を形成する場合、擁壁の支持できる範囲が山側とは反対側に拡張できるため、掘削範囲を縮減でき、工期面及びコスト面等に有利となる。
【発明を実施するための最良の形態】
【００４５】
図１はこの発明の第１の実施の形態によるもたれ式のコンクリート積みブロック擁壁の施工断面図であり、図２は図１で示した擁壁の一部の概略構造を示した斜視図であり、図３は図１で示した擁壁に用いられているコンクリートブロックの一部の概略構造を示した斜視図であり、図４は図１で示した擁壁に用いられているコンクリートブロックの他の一部の概略構造を示した斜視図であり、図５は図１で示した擁壁の一部の分解斜視図である。
【００４６】
これらの図を参照して、擁壁１は、本発明の道路拡幅用の第１コンクリートブロック３ａ〜３ｄが、通常使用されている第２コンクリートブロック４ａ〜４ｃの上部に積まれた状態で構成されている。
【００４７】
第１コンクリートブロック３は、平板状の前壁５と、その内方側の中央に接続された平板状の控壁６と、控壁６に接続され、前壁５と略平行に設置される平板状の後壁８と、前壁５の外方側に接続され、前壁５の勾配より急な勾配で上下に延びる柱状の柱梁７とからなる。尚、柱梁７には上下に貫通する開口３１が形成されているが、この開口３１はなくても良い。又、前壁５の勾配は５分（１：０．５）としているが、２割勾配から垂直勾配であれば同様に適用できる。
【００４８】
第１コンクリートブロック３は、上下の配置段が異なったものであっても柱梁７を除いた部分はすべて同一形状となっているが、柱梁７の形状は設置段によって異なっている。すなわち、柱梁７は下段のものから上段にいくに従って前壁５からの突き出し長さが大きくなるように設定されている。そして、これらを積み上げたとき、図１等に示されているように柱梁７ａ〜７ｄの各々の先端部が上下に整列するように構成されている。
【００４９】
一方、第２コンクリートブロック４は、柱梁を除いて第１コンクリートブロック３と略同一形状を有している。すなわち、平板状の前壁５と、その内方側の中央に接続された控壁６と、控壁６に接続され、前壁５と略平行に設置される平板状の後壁８とからなる。
【００５０】
尚、第１コンクリートブロック及び第２コンクリートブロックはいずれもプレキャスト製品であり、工場にて製造されるものである。したがって、各構成部分は一体となって製造されるため強度上の信頼性が高い。
【００５１】
次に、この擁壁の施工順序について説明する。
【００５２】
まず、擁壁を形成する山の斜面を所定量掘削した後、水平に形成された地盤面の上に擁壁の基礎となる基礎コンクリート３２を打設する。その上に第２コンクリートブロック４ａ〜４ｃをその前壁５の外方面が整列するように順次積み上げていく。このとき前壁５と後壁８との間のスペースに現場打コンクリート９ａ〜９ｃを打設して上下、左右の第２コンクリートブロック同志を連結する。尚、この現場打コンクリートの打設の前に鉄筋１０が当該スペースに挿入されているので、現場打コンクリートによる連結状態がより強固となる。
【００５３】
次に、第２コンクリートブロック４ｃの上に第１コンクリートブロック３ａ〜３ｄを各々の前壁が整列するように順次積み上げる。第１コンクリートブロック３の前壁５には柱梁７が形成されているが、上述のようにこの柱梁７の前方端が上下方向に整列するように柱梁７が形成されている。これによって第１コンクリートブロックの前壁によって構成されている勾配面より急な勾配（この実施の形態では略垂直）で上方に延びる柱梁が形成されることになる。尚、これらの先端は擁壁１のつま先から距離Ｌだけ後方に位置しているので、転倒計算上は安全側となる。
【００５４】
尚、第１コンクリートブロック３を積み上げる際にも現場打コンクリート９ａ〜９ｃを順次打設するため、第１コンクリートブロック３も上下、左右に強固に連結される。又、第１コンクリートブロック３の柱梁７には開口３１が形成されている。そのため、第１コンクリートブロックを上下に積み上げると、各々の柱梁７ａ〜７ｄの開口３１が上下に連結することになる。そこで、この開口内部にも鉄筋２６を配置した後現場打コンクリート２５を打設する。これによって、柱梁７ａ〜７ｄも上下に強固に連結されることになる。
【００５５】
最上段の第１コンクリートブロック３ｄを設置した後、排水のための裏込砕石３４を背面に設置する。そして、第１コンクリートブロック３ｄの上に手摺１１設置用の基礎ブロック２を載置する。基礎ブロック２には手摺１１の支柱４１ａ及び４１ｂを固定するための取付穴４０ａ及び４０ｂが形成されている。又、基礎ブロック２にはその中央部に開口４３が形成され、その両端には切欠４２ａ及び４２ｂが形成されている。基礎ブロック２の第１コンクリートブロック３ｄへの固定は、開口４３及び切欠４２ａ及び４２ｂから鉄筋１０を露出させ、それらの部分に現場打コンクリートを打設することによって行う。
【００５６】
その後、手摺１１を固定すると共に、縁石１４を介して歩道面３５及び車道面３６を形成して道路拡幅のための擁壁が完成する。このように基礎ブロック２は上下に連続する柱梁７ａ〜７ｄにより支持されるため、大きな輪荷重が上部から作用しても柱梁には圧縮力が働くが大きな曲げモーメントは発生しない。又、擁壁の構築と同時に柱梁が構築されるため工期が短くなり効率的な工法となる。更に、第１コンクリートブロックは形状的には第２コンクリートブロックに柱梁を付加したものである。そのため、第２コンクリートブロックのための標準の型枠に、種々の大きさの柱梁の部分に相当する型枠を複数用意して取付けるようにすれば、低コストで第１コンクリートを製造することができる。
【００５７】
図６はこの発明の第１の実施の形態による擁壁の施工効果を説明するための概略側面図である。
【００５８】
図６の（１）は従来のコンクリートブロックのみで擁壁を形成した状態を示している。すなわち、この擁壁に用いられるコンクリートブロック４ａ〜４ｇは、図４で示されたもののみで最下段から最上段まで積み上げられている。この例にあっては、擁壁の勾配を５分としている。この場合、道路幅をＷだけ確保するには、山の斜面２１の道路施工位置より上方の部分５２を掘削する必要がある。
【００５９】
一方、図６の（２）に示すこの発明の第１の実施の形態による擁壁であれば、第１コンクリートブロック３ａ〜３ｄには柱梁７ａ〜７ｄが一体化されている。したがって、擁壁１の最上部における道路として使用できる幅は、柱梁７ｄの上面すなわちＷ１だけ拡大する。このため、斜面２１はＷ１だけ掘削する必要が無くなることになり、掘削に要する時間とコストとを削減する。
【００６０】
図７はこの発明の第２の実施の形態によるコンクリート積みブロック擁壁の施工断面図であり、図８は図７で示した擁壁の一部の概略構造を示した斜視図であり、図９は図７で示した擁壁に用いられているコンクリートブロックの一部の概略構造を示した斜視図である。
【００６１】
これらの図を参照して、擁壁１は、本発明の道路拡幅用の第１コンクリートブロック３ａ〜３ｄが、通常使用されている第２コンクリートブロック４ａ〜４ｃの上部に数段積まれた状態で構成されている。
【００６２】
第１コンクリートブロック３は、平板状の前壁５と、その内方側の中央に接続された平板状の控壁６と、控壁６に接続され、前壁５と略平行に設置される平板状の後壁８と、前壁５の外方側に接続され、前壁５の勾配面１６より急な勾配で上下に延びる平面視Ｔ型形状の柱梁７とからなる。柱梁７の外方端部の面１５は略平坦面を有し、この平坦面の前壁５への水平方向の投影面は前壁５の勾配面１６に一致するように設定されている。尚、柱梁７の下端と前壁５の下端とは底板１２によって接続されている。この底板１２の効果については後述する。
【００６３】
第１コンクリートブロック３は、上下の配置段が異なったものであっても柱梁７を除いて部分はすべて同一形状となっているが、柱梁７の形状は設置段によって異なっている。すなわち、柱梁７は下段のものから上段にいくに従ってその外方端部の面１５の前壁５からの距離が大きくなるように設定されている。そして、これらを積み上げたとき、図７等に示されているように柱梁７ａ〜７ｄの各々の外方端部の面１５が上下に整列するように構成されている。尚、これらの面１５は擁壁１のつま先から距離Ｌだけ後方に位置しているので、転倒計算上は安全側となる。
【００６４】
又、柱梁７の外方端部の面１５は上述のようにその投影面が前壁５の勾配面１６に一致するように構成されているため、第１コンクリートブロック３ａ〜３ｄの設置が完了すると、図８に示されているように外方面が柱梁７の外方端部の面１５によって完全に覆われた状態となっており、先の実施の形態のように前壁５が外方に露出しない。このようにこの実施の形態であれば柱梁７には先の実施の形態による柱梁に比べて凹凸が無いため、風、水等の浸食が少なくなるため耐久性も向上する。
【００６５】
一方、第２コンクリートブロック４は、先の実施の形態によるものと同一であり、又、柱梁を除いて第１コンクリートブロック３と略同一形状を有している。すなわち、平板状の前壁５と、その内方側の中央に接続された控壁６と、控壁６に接続され、前壁５と略平行に設置される平板状の後壁８とからなる。尚、控壁６には開口２７が形成されているが、これは現場打コンクリート９を打設した際、隣接方向に一体化するためである。
【００６６】
尚、第１コンクリートブロック及び第２コンクリートブロックはいずれもプレキャスト製品であり、工場にて製造されるものである。したがって、各構成部分は一体となって製造されるため強度上の信頼性が高い。
【００６７】
次に、この擁壁の施工順序について説明する。
【００６８】
まず、擁壁を形成する山の斜面を所定量掘削した後、水平に形成された地盤面の上に擁壁の基礎となる基礎コンクリート３２を打設する。その上に第２コンクリートブロック４ａ〜４ｃをその前壁５の外方面が整列するように順次積み上げていく。このとき前壁５と後壁８との間のスペースに現場打コンクリート９ａ〜９ｃを打設して上下、左右の第２コンクリートブロック同志を連結する。この現場打コンクリートの打設の前に鉄筋１０が当該スペースに挿入されているので、現場打コンクリートによる連結状態がより強固となる。
【００６９】
次に、第２コンクリートブロック４ｃの上に第１コンクリートブロック３ａ〜３ｄを各々の前壁が整列するように順次積み上げる。第１コンクリートブロック３の前壁５には柱梁７が形成されているが、上述のようにこの柱梁７の外方端部の面１５が上下方向に整列するように柱梁７が形成されている。これによって第１コンクリートブロックの前壁によって構成されている勾配面１６より急な勾配の壁面１５として上方に対して面状に一体的に延びる柱梁７が形成されることになる。
【００７０】
尚、第１コンクリートブロック３を積み上げる際にも現場打コンクリート９ａ〜９ｃを順次打設するため、第１コンクリートブロック３も上下、左右に強固に連結される。又、第１コンクリートブロック３の柱梁７には各々底板１２が形成されている。そのため、上方が開放の箱型のブロックを上下に積み上げた状態となり、先の実施の形態に比べてより強固な構造となる。
【００７１】
最上段の第１コンクリートブロック３ｄを設置した後、裏込砕石３４を設置するとともに前壁５、柱梁７及び底板１２によって構成されるスペースに土４５等を充填する。そしてその土４５を利用して手摺１１を取付けるために現場打コンクリート１３を打設する。更に、第１コンクリートブロック３ｄの上に砕石４６を布設し、その上に、縁石１４を介して歩道面３５及び車道面３６を形成して道路拡幅のための擁壁が完成する。尚、柱梁７ａ〜７ｃのスペースに土等を充填しても良い。
【００７２】
図１０はこの発明の第３の実施の形態によるコンクリートブロック積み擁壁を構成する第１コンクリートブロックの外観形状を示す斜視図である。
【００７３】
図を参照して、先の第１の実施の形態による第１コンクリートブロックとは前壁５の内方面に一対の控壁６ａ及び６ｂが接続している点のみ異なっている。すなわち、前壁５、控壁６ａ及び６ｂ並びに後壁８は対向する面が上下に開放された箱型形状を有している。
【００７４】
図１１はこの発明の第４の実施の形態によるコンクリートブロック積み擁壁を構成する第１コンクリートブロックの外観形状を示す斜視図である。
【００７５】
図を参照して、先の第１の実施の形態による第１コンクリートブロックとは前壁５と控壁６と後壁８とが一体となっており、それを上下に貫通する鉄筋の布設用の開口４９ａ及び４９ｂが形成されている点のみ異なっている。
【００７６】
図１２はこの発明の第５の実施の形態によるコンクリートブロック積み擁壁を構成する第１コンクリートブロックの外観形状を示す斜視図である。
【００７７】
図を参照して、先の第１の実施の形態による第１コンクリートブロックとは柱梁７が平面視Ｔ型形状を有しており、その先端部に上下に貫通する鉄筋の布設用の開口５０が形成されている点のみ異なっている。尚、柱梁７の先端面１５は図９の柱梁７に比べて小さく設定されている。
【００７８】
図１３はこの発明の第６の実施の形態によるコンクリートブロック積み擁壁を構成する第１コンクリートブロックの外観形状を示す斜視図である。
【００７９】
図を参照して、先の第１の実施の形態による第１コンクリートブロックとは柱梁７の外面が丸みを帯びており、前壁５の内方面に３枚の控壁６ａ〜６ｃが形成されており、更に後壁が形成されていない点が異なっている。このブロックにあっては、控壁６ａ〜６ｃの内方端に平板状の鉄製の型枠等を設置して、控壁６とで構成されるスペースに現場打ちコンクリートを打設して使用する。尚、控壁６ａ〜６ｃの各々に形成されている開口２７ａ〜２７ｃは、これを介して隣接する現場打コンクリートを一体化するためのものである。
【００８０】
図１４はこの発明の第７の実施の形態によるコンクリートブロック積み擁壁を構成する第１コンクリートブロックの外観形状を示す斜視図である。
【００８１】
図を参照して、先の第６の実施の形態による第１コンクリートブロックとは前壁５が若干大きくなっており、控壁６の数が２枚となっている点のみ異なっている。このブロックにあっても、同様に、控壁６ａ及び６ｂの内方端に平板状の鉄製の型枠等を設置して控壁６とで構成されるスペースと控壁６ａ及び６ｂの外方側のスペースとに現場打ちコンクリートを打設して使用する。尚、控壁６ａ及び６ｂの各々に形成されている開口２７ａ及び２７ｂは、これを介して隣接する現場打コンクリートを一体化するためのものである。
【００８２】
図１５はこの発明の第８の実施の形態によるコンクリートブロック積み擁壁を構成する第１コンクリートブロックの外観形状を示す斜視図である。
【００８３】
図を参照して、先の第７の実施の形態による第１コンクリートブロックとは柱梁７の形状が大きく異なっている。すなわち、前壁５の外方面から一対の柱梁７ａ及び７ｂが外方側に突き出ており、それらの先端は隣接するブロック側に延びるように曲がっている。
【００８４】
図１６は図１５の第１コンクリートブロックを設置した状態を示す概略斜視図である。
【００８５】
図を参照して、隣接するブロックの柱梁は互いにその先端部で接する状態となり、そこにスペース２９が形成される。このスペース２９に鉄筋２６を配置した状態で現場打コンクリート２５を打設する。これによって、柱梁７の強度が向上すると共に隣接するブロック同志の一体性が向上する。控壁６の後端部には平板状の型枠３０が配置され、前壁５と控壁６ａ及び６ｂとの間に形成されたスペース２８と控壁６ａ及び６ｂの両側に形成されたスペース３３とに現場打コンクリート９ａ及び９ｂを打設する。
これによって、前壁５の後方部は一体化された大きなコンクリートの壁面となり、擁壁の強度の向上に寄与する。
【００８６】
尚、この実施の形態による第１コンクリートブロックの柱梁７は開放形状となっているため、第１の実施の形態による柱梁のような開口を有するものに比べて製造が容易となる。
【００８７】
図１７はこの発明の第９の実施の形態によるコンクリート積みブロック擁壁の施工断面図である。
【００８８】
図を参照して、この実施の形態にあっては、先の各実施の形態によるものとは異なり、第１コンクリートブロック３ａ〜３ｄの柱梁７ａ〜７ｄの先端面が垂直方向に伸びず、前壁側にα°傾いた傾斜となっている。この形態にあっては、擁壁の上面に使用する道路の幅をそれほど大きく確保する必要が無い場合に適用される。尚、擁壁自体を河川の側壁として使用する場合には、河川幅を狭めることが無いため都合が良い。
【００８９】
図１８はこの発明の第１０の実施の形態によるコンクリート積みブロック擁壁の施工断面図である。
【００９０】
図を参照して、この実施の形態にあっては、第１〜第８の実施の形態によるものとは異なり、第１コンクリートブロック３ａ〜３ｄの柱梁７ａ〜７ｄの先端面が垂直方向に伸びず、外方側にβ°傾いた傾斜となっている。この形態にあっては、擁壁の上面に使用する道路の幅を更に大きく確保する必要がある場合に適用される。尚、擁壁自体を河川の側壁として使用する場合には、上部において河川幅を若干狭めることになる。
【００９１】
図１９はこの発明の第１１の実施の形態によるコンクリート積みブロック擁壁の施工断面図であり、図２０は図１９で示した擁壁に用いられているコンクリートブロックの一部の概略構造を示した斜視図である。
【００９２】
これらの図を参照して、擁壁１は、本発明の道路拡幅用の第１コンクリートブロック１７ａ〜１７ｄが、通常使用されている第２コンクリートブロック４ａ〜４ｃの上部に数段積まれた状態で構成されている。
【００９３】
第１コンクリートブロック３は、平板状の前壁５と、その内方側の中央に接続された平板状の控壁６と、前壁５の外方側に取付けられるアンカー筋１９と、前壁５の外方側に接続され、前壁５の勾配より急な勾配で上下に延びる平面視Ｔ型形状の柱梁７とからなる。柱梁７の外方端部の面１５は略平坦面を有し、この平坦面の前壁５への水平方向の投影面は前壁５の勾配面１６に一致するように設定されている。尚、柱梁７の下端と前壁５の下端とは底板１２によって接続されている。このように前壁５の外方部分は第２の実施の形態によるものと同一であるが、上述のように前壁５の内方側には控壁や後壁が無い点が大きく異なっている。そのため、設置時の第１コンクリートブロック１７の重量は先の各実施の形態によるものに比べて軽くなるため、現場での取り扱いが容易となる。
【００９４】
次に、この擁壁の施工順序について説明するが、第２コンクリートブロック４ａ〜４ｃの設置までは先の第２の実施の形態によるものと同一であるのでここでの説明は繰り返さない。
【００９５】
第２コンクリートブロック４ａ〜４ｃの設置が終了すると、第２コンクリートブロック４ｃの上に第１コンクリートブロック１７ａの前壁が整列するように積み上げる。次にその前壁の後方であって第２コンクリートブロック４ｃの後壁の延長線上に平板状の型枠を設置する。そして、型枠と第１コンクリートブロックの前壁とで形成されたスペースに現場打コンクリート１８を打設する。このスペースには上述のようにアンカー筋１９が配置されているため、現場打コンクリート１８は第１コンクリート１７ａの前壁と第２コンクリート４ｃとに強固に連結される。
【００９６】
第１コンクリートブロック１７ａの段の設置と固定とが終了すると、その上に第１コンクリートブロック１７ｂを設置して同様に現場打コンクリート１８を打設して同様にこれを固定する。同様に第１コンクリートブロック１７ｃ及び１７ｄを設置することによって第１コンクリートブロックの設置は終了する。
【００９７】
以下第２の実施の形態と同様にその上に道路及び手摺を設置すれば良い。完成した擁壁は現場打コンクリート１８によって一体化されているため第２の実施の形態によるものと強度上及び利便性はなんら変わらない。
【００９８】
図２１はこの発明の第１２の実施の形態によるコンクリート積みブロック擁壁の施工断面図であり、図２２は図２１で示した擁壁に用いられているコンクリートブロックの一部の概略構造を示した斜視図である。
【００９９】
図を参照して、この実施の形態による擁壁１は、先の各実施の形態によるようなもたれ式の擁壁ではなく、基礎砕石５４の上に自立する重力式の擁壁である。下の段より上方にいくにしたがって、各第１コンクリートブロック３の大きさが小さくなるように設定されており安定度を高めている。
【０１００】
第１コンクリートブロック３は、前壁５及び後壁８が垂直方向に延びており、前壁５、控壁６ａ及び６ｂ並びに後壁８は対向する面が上下に開放された箱型形状を有している。前壁５の外方面から前方に突出している柱梁７は、その先端面１５が前壁５の勾配面（垂直面）１６より急な勾配となるように設定されている。
【０１０１】
尚、各段の第１コンクリートブロック３は、これらのブロックの前壁５を整列させた状態で積み上げたとき、その柱梁７の先端面１５が整列するようにその前壁５からの突出長さと傾斜とが設定されている。
【０１０２】
図２３はこの発明の第１３の実施の形態によるコンクリート積みブロック擁壁の施工断面図である。
【０１０３】
図を参照して、この実施の形態による擁壁１は、基礎砕石５４の上に下の段より上方にいくにしたがって、各第１コンクリートブロック１３の大きさが大きくなるように設定されている。
【０１０４】
第１コンクリートブロック３の各々は、第１２の実施の形態によるものと基本的には同一である。尚、各段の第１コンクリートブロック３は、同様にこれらのブロックの前壁を整列させた状態で積み上げたとき、その柱梁７の先端面が整列するようにその前壁からの突出長さと傾斜とが設定されている。
【０１０５】
この実施の形態による擁壁はもたれ式として使用されるが、傾斜面に沿って各第１のコンクリートブロック３が設置されるため傾斜面より生じる土圧の影響が小さくなる。又、各ブロックが直方体形状であるため、固定的な傾斜を有するブロックに比べて傾斜面に応じて自在に設置及び調整できるため効率的な擁壁となる。
【０１０６】
図２４はこの発明の第１４の実施の形態によるコンクリート積みブロック擁壁の施工断面図であり、図２５は図２４で示した擁壁に用いられているコンクリートブロックの一部の概略構造を示した斜視図である。
【０１０７】
これらの図を参照して、この実施の形態による擁壁１は、基礎砕石５４の上に下の段より上方にいくにしたがって、各第１コンクリートブロック２３の大きさが大きくなるように設定されている。
【０１０８】
第１コンクリートブロック２３の各々は、先の第１３の実施の形態に用いられる第１コンクリートブロックにおいて柱梁を除いた形状を有している。尚、各段の第１コンクリートブロック３は、これらのブロックの前壁５が上下に整列するように設置されている。そして、前壁５、一対の控壁６ａ及び６ｂ並びに後壁８とで構成される上下に貫通する開口４７に対して後壁８側にのみ現場打コンクリート５６が打設されている。又、現場打コンクリート５６はその前方側の傾斜面５７が上下の段に渡って一面になるように調整されている。
【０１０９】
又、隣接するブロック同志の間にできるスペースには鉄筋５８を介して現場打コンクリート５９が打設され、これらを一体化している。
【０１１０】
このように構成することにより、擁壁１の重心位置は後壁８側に移るので擁壁形状による土圧の低減と共に安定した設置状態が確保できる。尚、各ブロックの開口４７の現場打コンクリート５６が打設されている部分以外のスペースには、状況に応じて土等を充填しても良い。
【０１１１】
図２６はこの発明の第１５の実施の形態によるコンクリート積みブロック擁壁の施工断面図である。
【０１１２】
図を参照して、この擁壁１にあっては、設置する傾斜面の勾配がかなり緩い場合（２割勾配）に適用されている。第１コンクリートブロック３は、先の第１の実施の形態による第１コンクリートブロックと基本的には同一であるが、各ブロックの前壁の上端と後壁の上端とでなす面が水平面ではない点が異なっている。そのため、最上段の第１コンクリートブロック３ｂの上方端部と基礎ブロック２の下面と傾斜面とで構成されるスペースに現場打コンクリート６１が打設されている。
【０１１３】
このように構成することによって、緩い傾斜面にあっても幅の広い道路面を確保することが容易となる。
【０１１４】
尚、上記の各実施の形態では、第２コンクリートブロックの上に第１コンクリートブロックを設置しているが、擁壁高さが十分確保できないような場合には第１コンクリートブロックだけを上下に積んで擁壁を構成しても良い。
【０１１５】
又、上記の各実施の形態では、第１コンクリートブロックの形状を特定しているが、同様の効果を奏するものあれば他の形状であっても良いことは言うまでもない。
【０１１６】
更に、第１４の実施の形態では、現場打コンクリート５６の前面は上下に整列する傾斜面５７としているが、この前面は垂直面で上下不連続な面であっても良い。
【０１１７】
更に、上記の各実施の形態で控壁を有する第１コンクリートブロックにあっては、その長さは擁壁の高さや土圧の大きさ等に併せて決定すれば良い。
【０１１８】
更に、上記の各実施の形態では、現場打コンクリートの一体化を促進するために鉄筋を配置しているが、鉄筋に限らずＰＣ鋼棒を用いたり、あるいはこれらの組み合わせとしても良い。
【０１１９】
更に、上記の各実施の形態では、必要に応じて土を充填しているが、これに代えて軽量盛り土材、コンクリート等を充填しても良い。
【図面の簡単な説明】
【０１２０】
【図１】この発明の第１の実施の形態によるコンクリート積みブロック擁壁の施工断面図である。
【図２】図１で示した擁壁の一部の概略構造を示した斜視図である。
【図３】図１で示した擁壁に用いられているコンクリートブロックの一部の概略構造を示した斜視図である。
【図４】図１で示した擁壁に用いられているコンクリートブロックの他の一部の概略構造を示した斜視図である。
【図５】図１で示した擁壁の一部の分解斜視図である。
【図６】この発明の第１の実施の形態による擁壁の施工効果を説明するための概略側面図である。
【図７】この発明の第２の実施の形態によるコンクリート積みブロック擁壁の施工断面図である。
【図８】図７で示した擁壁の一部の概略構造を示した斜視図である。
【図９】図７で示した擁壁に用いられているコンクリートブロックの一部の概略構造を示した斜視図である。
【図１０】この発明の第３の実施の形態によるコンクリートブロック積み擁壁を構成する第１コンクリートブロックの外観形状を示す斜視図である。
【図１１】この発明の第４の実施の形態によるコンクリートブロック積み擁壁を構成する第１コンクリートブロックの外観形状を示す斜視図である。
【図１２】この発明の第５の実施の形態によるコンクリートブロック積み擁壁を構成する第１コンクリートブロックの外観形状を示す斜視図である。
【図１３】この発明の第６の実施の形態によるコンクリートブロック積み擁壁を構成する第１コンクリートブロックの外観形状を示す斜視図である。
【図１４】この発明の第７の実施の形態によるコンクリートブロック積み擁壁を構成する第１コンクリートブロックの外観形状を示す斜視図である。
【図１５】この発明の第８の実施の形態によるコンクリートブロック積み擁壁を構成する第１コンクリートブロックの外観形状を示す斜視図である。
【図１６】図１５の第１コンクリートブロックを設置した状態を示す概略斜視図である。
【図１７】この発明の第９の実施の形態によるコンクリート積みブロック擁壁の施工断面図である。
【図１８】この発明の第１０の実施の形態によるコンクリート積みブロック擁壁の施工断面図である。
【図１９】この発明の第１１の実施の形態によるコンクリート積みブロック擁壁の施工断面図である。
【図２０】図１９で示した擁壁に用いられているコンクリートブロックの一部の概略構造を示した斜視図である。
【図２１】この発明の第１２の実施の形態によるコンクリート積みブロック擁壁の施工断面図である。
【図２２】図２１で示した擁壁に用いられているコンクリートブロックの一部の概略構造を示した斜視図である。
【図２３】この発明の第１３の実施の形態によるコンクリート積みブロック擁壁の施工断面図である。
【図２４】この発明の第１４の実施の形態によるコンクリート積みブロック擁壁の施工断面図である。
【図２５】図２４で示した擁壁に用いられているコンクリートブロックの一部の概略構造を示した斜視図である。
【図２６】この発明の第１５の実施の形態によるコンクリート積みブロック擁壁の施工断面図である。
【符号の説明】
【０１２１】
１  擁壁  
２  基礎ブロック
３，１７，２３  第１コンクリートブロック
４  第２コンクリートブロック
５  前壁
６  控壁
７  柱梁
８  後壁
９，１３，１８，２５，５６，５９，６１  現場打コンクリート
１０，２６  鉄筋
１１  手摺り
１２  底板
１５  面
１６  勾配面
１９  アンカー筋
３１，４７，５７  開口
尚、各図中同一符号は同一又は相当部分を示す。
【図１】
2006112130.tif 000003
【図２】
2006112130.tif 000004
【図３】
2006112130.tif 000005
【図４】
2006112130.tif 000006
【図５】
2006112130.tif 000007
【図６】
2006112130.tif 000008
【図７】
2006112130.tif 000009
【図８】
2006112130.tif 000010
【図９】
2006112130.tif 000011
【図１０】
2006112130.tif 000012
【図１１】
2006112130.tif 000013
【図１２】
2006112130.tif 000014
【図１３】
2006112130.tif 000015
【図１４】
2006112130.tif 000016
【図１５】
2006112130.tif 000017
【図１６】
2006112130.tif 000018
【図１７】
2006112130.tif 000019
【図１８】
2006112130.tif 000020
【図１９】
2006112130.tif 000021
【図２０】
2006112130.tif 000022
【図２１】
2006112130.tif 000023
【図２２】
2006112130.tif 000024
【図２３】
2006112130.tif 000025
【図２４】
2006112130.tif 000026
【図２５】
2006112130.tif 000027
【図２６】
2006112130.tif 000028